(57)【特許請求の範囲】
【請求項１】
端子台と、該端子台を載置する端子台座とを備えた端子台装置であって、前記端子台にはその一側に前記端子台座との係合部が、他側にねじ貫通穴を有するフランジが形成されており、前記端子台座には前記端子台の係合部に対向する位置に被係合部が、及び前記フランジのねじ貫通穴に対向する位置にねじ穴が形成されており、前記端子台が前記端子台座へ係合され、かつ、単一のねじにて固定される端子台装置において、前記端子台座は端子台の底部が嵌挿する窪みを備え、該窪みの側面に被係合部が形成され、該被係合部が凹状若しくは凸状をなし、前記端子台に形成された係合部は前記端子台座の被係合部に係合可能な凸状若しくは凹状をなすことを特徴とする端子台装置。
【請求項２】
請求項１記載の端子台装置において、端子台は端子台座との係合部が形成された一側の反対側にねじ貫通穴を有するフランジが形成されていることを特徴とする端子台装置。
【請求項３】
請求項１又は請求項２記載の端子台装置において、端子台は嵌合によって一体化される２分割型であることを特徴とする端子台装置。
【請求項４】
請求項３記載の端子台装置において、２分割型の端子台における一方の端子台にねじ貫通穴を有するフランジが形成されており、該フランジが形成されていない他方の端子台に電子部材が組込まれていることを特徴とする端子台装置。
【発明の詳細な説明】
【０００１】
【発明の属する技術分野】
この発明は、端子台及びこの端子台を載置する端子台座を備えた端子台装置に関し、特に、端子台座への端子台の取付、取外し作業容易化のための改善に関するものである。
【０００２】
【従来の技術】
図３（A）、（Ｂ）は従来の端子台及びこの端子台を載置する端子台座を示す立体図である。図３（Ａ）において、１１は端子台であり、モータ用端子台及びブレーキ用端子台を一体に構成したものであり、端子台１１における左側４個の端子ブロックがモータ用端子台、右側２個の端子ブロックがブレーキ用端子台である。尚、図示してはいないが、ブレーキ用端子台の裏側凹所部分にはダイオード等を組み込んだ基板等からなる電子部材が組込まれている。
【０００３】
図３（Ｂ）において、１３は端子台１１を載置する端子台座であり、端子箱の一部を構成するものである。１４は端子台座１３に形成された、端子台１１の底部が嵌挿される窪み、１５は窪み１４の側面に形成された凹状の溝であり、前記端子台１１に形成された突起１２と嵌合可能な形状をなす。
【０００４】
端子台１１は端子台座１３に形成された窪み１４に嵌挿されると共に端子台１１の底部に形成された突起１２と端子台座１３における窪み１４の側面に形成された溝１５とが嵌合され、構造上、端子台１１は端子台座１３に嵌め殺された状態にて固定される。
【０００５】
【発明が解決しようとする課題】
従来の端子台装置における端子台１１はモータ用端子台及びブレーキ用端子台が一体に構成されたものであり、かつ、端子台座１３に嵌め殺された状態にて固定されている構造のために、ねじ止め不要である利点がある一方で、ブレーキ用端子台に組込まれている電子部材が故障などの不具合を生じ、交換を必要とする場合が生じても、分解が困難で、交換が容易でないなどの問題点があった。
【０００６】
本発明は、上記のような問題点を解消するためになされたものであり、端子台の取付、取外しが容易な端子台装置を提供することを目的とする。
【０００７】
【課題を解決するための手段】
第１の発明に係る端子台装置は、端子台と該端子台を載置する端子台座とを備え、前記端子台にはその一側に前記端子台座との係合部が、他側にねじ貫通穴を有するフランジが形成されており、前記端子台座には前記端子台の係合部に対向する位置に被係合部が、及び前記フランジのねじ貫通穴に対向する位置にねじ穴が形成されており、前記端子台が前記端子台座へ係合され、かつ、単一のねじにて固定されたものにおいて、前記端子台座は端子台の底部が嵌挿する窪みを備え、該窪みの側面に被係合部が形成され、該被係合部が凹状若しくは凸状をなし、前記端子台に形成された係合部は前記端子台座の被係合部に係合可能な凸状若しくは凹状をなすものである。
【０００９】
第２の発明に係る端子台装置は、第１又は第2の発明に係る端子台装置において、端子台が端子台座との係合部が形成された一側の反対側にねじ貫通穴を有するフランジを備えたものである。
【００１０】
第３の発明に係る端子台装置は、第１の発明に係る端子台装置において、端子台が嵌合によって一体化される２分割型であるものである。
【００１１】
第４の発明に係る端子台装置は、第３の発明に係る端子台装置において、２分割型の端子台における一方の端子台にねじ貫通穴を有するフランジが形成されており、該フランジが形成されていない他方の端子台に電子部材が組込まれているものである。
【００１２】
【発明の実施の形態】
実施の形態１．
この発明の実施の形態１を図１、図２に示した図面に基づき説明する。図１（Ａ）は端子台装置を構成する端子台を示す斜視図、図１（Ｂ）は同じく端子台装置を構成する端子台座を示す斜視図である。図２は図１（Ａ）に示した端子台の分割図であり、図２（Ａ）、（Ｂ）はそれぞれモータ用端子台を示す正面図及び分割面側から見た側面図、図２（Ｃ）、（Ｄ）はそれぞれブレーキ用端子台を示す正面図及び分割面側から見た側面図である。
【００１３】
図１（Ａ）及び図２（Ａ）〜（Ｄ）において、１は端子台、１Ａはモータ用端子台、１Ｂはブレーキ用端子台であり、端子台１はモータ用端子台１Ａとブレーキ用端子台１Ｂとを嵌合により結合し、一体化したものである。尚、図示してはいないが、ブレーキ用端子台１Ｂにはダイオード等を組み込んだ基板等からなる電子部材が組込まれている。
【００１４】
２はモータ用端子台１Ａ、ブレーキ用端子台１Ｂそれぞれの一方の側面に形成された係合部としての凸状をなす突起、３はモータ用端子台１Ａにおける突起２が形成された側面の反対側の側面に形成されたフランジであり、このフランジ３にはねじ貫通穴３Ａが形成されている。４はモータ用端子台１Ａを後述の端子台座７に固定するねじである。尚、 図２（Ｂ）には図２（Ａ）に示したねじ４が省略されている。
【００１５】
５はモータ用端子台１Ａにおける分割面に形成されたブレーキ用端子台１Ｂとの嵌合用溝、６はブレーキ用端子台１Ｂにおける分割面に形成されたモータ用端子台１Ａの溝５に嵌合する嵌合用突起である。
【００１６】
図１（Ｂ）において、７は端子台１を載置する端子台座、８は端子台座７に形成された、端子台１の底部を嵌挿する窪み、９は窪み８の側面に形成された被係合部としての凹状をなす溝であり、前記端子台１に形成された突起２と係合可能な形状をなす。１０は端子台１をねじ４によりねじ止め固定するためのねじ穴である。
【００１７】
モータ用端子台１Ａにおける分割面に形成された嵌合用溝５とブレーキ用端子台１Ｂに形成された嵌合用突起６とを嵌合させることにより結合してモータ用端子台１Ａとブレーキ用端子台１Ｂとが一体になった端子台１を形成し、モータ用端子台１Ａ及びブレーキ用端子台１Ｂのそれぞれに形成されている突起２を端子台座７に形成されている凹状をなす溝９に係合させ、次に、モータ用端子台１Ａのフランジ３に形成された唯一ヶ所のねじ貫通穴３Ａにねじ４を差込み、端子台座７のねじ穴１０にねじ締めして端子台１を端子台座７に固定する。
【００１８】
尚、２分割可能な端子台１におけるモータ用端子台１Ａにのみ、ねじ止め固定用のねじ貫通穴３Ａを有するフランジ部３が形成されており、ブレーキ用端子台１Ｂにはフランジ部３が形成されていないが、このブレーキ用端子台１Ｂはモータ用端子台１Ａとの嵌合一体化により、端子台座７へ間接的に固定される。
【００１９】
上記のごとく、端子台１はモータ用端子台１Ａとブレーキ用端子台１Ｂに２分割可能であり、２分割されたものの嵌合一体化が容易であり、かつ、端子台１は唯一本のねじ４により端子台座７にねじ止め固定できるので、端子台１の端子台座７への取付、取外し作業が容易である。
【００２０】
又、端子台座７には、端子台１を嵌め込み挿入する窪み８を形成し、この窪み８の形状が端子台１の底部と略同一であり、端子台１に形成された突起２と端子台座７に形成された溝９との嵌合作業を妨げない程度に若干の隙を有するように形成したので、端子台１は窪み８により位置決めされ、ねじ４による端子台１と端子台座７との固定をより容易、確実なものにしている。
【００２１】
更に、ダイオード等の電子部材が組込まれているために故障等のトラブルが生じる可能性があるブレーキ用端子台１Ｂは、フランジ部３が形成されてないので形状が単純のため、比較的安価に製造でき、かつ、モータ用端子台１Ａとは分割して単独で取外すことができるので経済的に交換できる。
【００２２】
尚、端子台装置は端子台１及びこの端子台１を載置する端子台座７により構成される。又、 図１（Ｂ）に示した端子台座７はギヤードモータ用端子箱のベース部をなし、この端子台座７とこれにかぶせる蓋（図示せず）とにより端子箱が構成される。この実施の形態1では、端子台１を収納する端子箱そのものに端子台座７を形成したものであるが、独立した端子台座７を端子箱内に収納、取付けるものであってもよい。
【００２３】
【発明の効果】
第１の発明によれば、前記端子台の一側に前記端子台座への係合部を形成し、他側には前記端子台座へねじ止め用のねじ貫通穴を有するフランジを形成すると共に、前記端子台座に端子台を嵌挿する窪みを形成し、かつ、端子台に形成した係合部を凸状若しくは凹状をなす形状としたので、前記端子台が前記端子台座へ単一のねじ締めにて固定され、前記端子台の取付、取外しを容易に行え、更に、前記端子台の位置決めが安定し、取付、取外しを容易に行えるものを比較的安価に得られる効果がある。
【００２５】
又、第２の発明によれば、端子台のねじ貫通穴を有するフランジを、端子台座への係合部の反対側に形成したので、第１の発明による効果と共に、単一のねじによる固定がより確実なものが得られる効果がある。
【００２６】
又、第３の発明によれば、端子台を嵌合によって一体化される２分割可能型としたので、第１又は第２の発明による効果と共に、２分割された一方の端子に不具合が生じた場合にも、良品との取替え作業の容易なものが得られる効果がある。
【００２７】
又、第４の発明によれば、２分割可能な端子台におけるフランジが形成されていない端子台に電子部材を組込むようにしたので、第３の発明による効果と共に、不具合が生じた場合における良品との取替えを経済的に行える効果がある。
【図面の簡単な説明】
【図１】  この発明の実施の形態１としての端子台装置を示す図であり、図１（Ａ）は端子台を示す斜視図、図１（Ｂ）は端子台座を示す斜視図である。
【図２】  図１に示した端子台を分割した図であり、図２（Ａ）、（Ｂ）はそれぞれモータ用端子台を示す正面図及び側面図、図２（Ｃ）、（Ｄ）はそれぞれブレーキ用端子台を示す正面図及び側面図である。
【図３】  従来の端子台装置を示す図であり、図３（Ａ）は端子台を示す斜視図、図３（Ｂ）は端子台座を示す斜視図である。
【符号の説明】
１  端子台、１Ａ  モータ用端子台、１Ｂ  ブレーキ用端子台、２  突起、３  フランジ、３Ａ  ねじ貫通穴、４  ねじ、５  嵌合用溝、６  嵌合用突起、７  端子台座、８  窪み、９  溝、１０  ねじ穴
【図１】
0003775013.tif 000002
【図２】
0003775013.tif 000003
【図３】
0003775013.tif 000004